(57)【要約】【課題】画像撮影機能を備えた撮影装置では、撮影時レンズキャップが邪魔になる。同時に、小型化のため光学的に有効な大きさのレンズフードを省く傾向にある。【解決手段】被写体を撮影するレンズ５を内蔵する鏡筒の先端部４からヒンジ３を中心として所定角度回動するレンズキャップ２を備えたムービー１とする。ムービー１で撮影する際には、レンズ５によりレンズキャップ２の撮影を遮らない角度に回動させることで、レンズキャップが撮影時に邪魔にならず、また回動したレンズキャップ２が有害光を遮るため、レンズフードとしての機能も兼ね備える。【選択図】図１
2007286157.tif 000002
【特許請求の範囲】
【請求項１】
被写体を結像させるレンズ手段と、
前記レンズ手段を内蔵する鏡筒手段と、
前記鏡筒手段の前記レンズ手段側の一端面に係合する回動軸と、
前記回動軸回りに回動し前記レンズ手段を保護する保護手段を備える撮像装置。
【発明の詳細な説明】
【技術分野】
【０００１】
本発明は、レンズを用いた画像撮影機能を備えたムービーなどの、撮像機器に関するものである。
【背景技術】
【０００２】
近年、携帯機器においてレンズを用いた画像撮影機能を有するものが増えている。また、携帯機器の小型化も進み、安定した高画質を得るために必要な大きさのレンズフードを構成することが困難になってきている。
【０００３】
一方、図３に示すようなレンズキャップが普及している。同図において、６はレンズキャップ本体（以下、レンズキャップと称す）、７はレンズキャップ６を吊り下げるストラップ、８はレンズキャップ６をレンズフード先端部に着脱自在に装着するバネである。同図のレンズキャップを装着する様子を図４に示す。同図において、９はムービー、１０はムービー９を手に係合させるグリップベルト、１１はレンズフードである。同図に示すように、撮影時はグリップベルト１０をムービー９に固着する一端にストラップ７のリングを通してレンズキャップ６を吊り下げ、非撮影時はレンズキャップ６の両端からバネ８を押しレンズフード１１の先端部の内周に係合させ装着する。
【０００４】
レンズキャップ６は非撮影時不用意に手がレンズに触れ指紋等の付着や外界の埃等の付着からレンズを保護することを本来の目的としているが、このように撮影時にはグリップベルト１０とムービー９との固着箇所近傍でレンズキャップ６がぶら下がるため、例えばアングルを急激に変化する際に吊り下げ状態のレンズキャップ６が使用者の手やムービー９に当接したり等で邪魔になり、使い勝手が良くないという問題点を有していた。
【０００５】
上記問題点を回避する手段として、例えば特許文献１で撮影時のレンズキャップ収納手段を別途構成することで、撮影時にレンズキャップ６が撮影の邪魔になることを防いでいた。
【特許文献１】特開平１１−２７１８３９号公報
【発明の開示】
【発明が解決しようとする課題】
【０００６】
しかしながら特許文献１に開示の構成でも、撮影時にレンズからレンズキャップ６を取り外し、取り外したレンズキャップ６を別途構成されたレンズキャップ収納手段に取り付ける必要があるため、この一連の撮影前のレンズキャップ６の脱着処理を行う間に撮影の機会を逸するという課題があった。
【０００７】
また、ムービー９の小型化に伴い、レンズフード１１の小型化もしくは廃止が進み、また小型化により、撮影に対して有害な光線がレンズから入射することを防止するというレンズフード１１本来の機能を満足するだけの大きさを備えられないという課題もあった。
【０００８】
本発明は、上記従来の課題に鑑み、レンズを保護する機能と共に撮影に対する有害光線の入射も抑制できる撮影装置を提供することを目的とする。
【課題を解決するための手段】
【０００９】
上記課題を解決する為に本発明の撮像装置は、被写体を結像させるレンズ手段と、前記レンズ手段を内蔵する鏡筒手段と、前記鏡筒手段の前記レンズ手段側の一端面に係合する回動軸と、前記回動軸回りに回動し前記レンズ手段を保護する保護手段を備える構成である。
【発明の効果】
【００１０】
本発明の撮像装置は、非撮影時にレンズフードが邪魔にならず、撮影前にレンズキャップの収納の手間が省け、撮影時に太陽光等の有害光線のレンズへの入射を防止できるという効果がある。
【発明を実施するための最良の形態】
【００１１】
図１は、本発明装置の撮影装置における一実施形態の撮影時を示す斜視図であり、図２は同実施形態における非撮影時を示す斜視図である。これらの図において、１はムービー（撮像装置）、２はレンズキャップ（保護手段）、３はレンズキャップ２を開閉するヒンジ（回動軸）、４はレンズ５を収納する鏡筒先端部である。以下、これらの図を参照して本実施形態を説明する。
【００１２】
ムービー１で撮影するときには、図１に示すようにレンズキャップ２は鏡筒先端部４から所定の角度ヒンジ３を中心に回動する。この回動角度は、撮影対称の被写体がレンズ５に入射することを妨げず、同時に太陽光線等がレンズ５に入射することで撮影を妨害するいわゆる有害光線等を遮断できる角度に設定する。すなわち、本実施形態では撮影時においてもおいてレンズキャップ２を取り外す必要はないため、撮影チャンスを逸することを抑制できると同時に、レンズフードとしての機能も兼ね備えるため有害光線の入射による撮影ミスをも防止できる。なお、同図ではレンズキャップ２はムービー１の上側に回動しているが、例えば静止画像の撮影の際にフラッシュランプを点灯する場合等、太陽光以外の有害光線に対応するため、ヒンジ３を鏡筒先端部４に対して回転自在に係合させることも好ましい。この回転自在にヒンジ３と鏡筒先端４とが係合する構成を採用しても、ムービー１を撮影する場合にはレンズキャップ２と離隔した位置に撮影に関する操作釦が配置されているため、撮影に対して邪魔になったり撮影時に手等で触れることもなく、ヒンジ３の鏡筒先端部４に対する回転位置が撮影動作で変化することがない。また、この回転係合にクリック感を持たせると、所望の回転角度で維持し易いため好ましい。
【００１３】
次に、非撮影時は図２に示すようにレンズキャップ２はヒンジ３を回動軸として鏡筒先端部に密着する。このため、非撮影時に不用意に指等がレンズ５に触れ指紋がレンズ５に付着することや、持ち運びの際に外界のゴミがレンズ５に付着することや、あるいは異物がレンズ５に当接する等レンズ５の光学特性を外的に劣化させる要因も抑制する本来のレンズキャップが有する機能も備える。
【００１４】
ヒンジ３を回動軸にレンズキャップ２の回動起動させるには、簡便的には使用者が手で回動させる構成であるが、その他にもレンズキャップ２回動釦を撮影操作釦近傍に備える構成であっても良い。なお、これらの構成では撮影チャンスを逸する可能性は否めないため、ムービー１が備える不図示のシャッター釦の入切に連動する構成や、ムービー１が備える不図示のパワースイッチ釦の入切と連動する構成等が好ましい。
【００１５】
また、本実施形態のレンズキャップ２は、ムービー１の使用者が鏡筒先端部４から取り外す必要性がないため、レンズキャップ専用の収納を備えることや独立したレンズキャップを無くすことも抑制することができる。
【００１６】
なお、本実施形態のレンズキャップ２は円形形状の例で説明したが、要はレンズ５を内蔵する鏡筒先端部４に対して密着することが必要であるため、鏡筒先端部４の形状に合わせ自由に変形することができる。
【産業上の利用可能性】
【００１７】
本発明にかかる撮影装置は、レンズを用いた画像撮影機能を備えた、例えばカメラ付携帯電話等の携帯機器全般に対する用途に適用できる。
【図面の簡単な説明】
【００１８】
【図１】本発明の撮影装置に係る一実施形態の撮影時を示す斜視図
【図２】同実施形態の非撮影時を示す斜視図
【図３】従来のレンズキャップの一例を示す斜視図
【図４】同レンズキャップを備えた撮影装置の斜視図
【符号の説明】
【００１９】
１  ムービー
２  レンズキャップ
３  ヒンジ
【図１】
2007286157.tif 000003
【図２】
2007286157.tif 000004
【図３】
2007286157.tif 000005
【図４】
2007286157.tif 000006